(57)【要約】【課題】携帯機器１が駆動中に、電池切れした電池パックを、駆動中に動作を止めることなく別の電池パックに切替え、駆動に使用している電池ケースの蓋はロックし、不用意に駆動を止めてしまうことを防ぎ、電池切れした電池パックは駆動中に随意に交換できる携帯機器用電力供給システムを提供する。【解決手段】電池パックＡ４と電池パックＢ１０を駆動電力とし、電源投入時に負荷開閉回路Ａ８と負荷開閉回路Ｂ１４を交互に負荷抵抗１５に電流を流し、その時の電池パックＡ４の電圧と電池パックＢ１０の電圧を比較して主電源開閉回路Ａ７または主電源開閉回路Ｂ１３を動作させ、携帯機器１の駆動電力を得る。電池パックの切替えは主電源開閉回路Ａ７と主電源開閉回路Ｂ１３を微小時間オーバーラップさせて行う。電池ケース安全機構のロック・アンロックは電池パックの切替えタイミングに連動し、電気機構的に行う。【選択図】        図１
2004248369.tif 000002
【特許請求の範囲】
【請求項１】
複数個の２次電池パックを有し、携帯機器の駆動時は、いずれか一つの２次電池パックから電力供給し、電力容量低下により当該機器の駆動が不可能となる瞬間に、自動的に別の２次電池パックを微小時間オーバーラップさせながら、機器の動作を止めることなく、別の２次電池パックに切替え、当該２次電池パックは、電力供給回路から切り離される携帯機器用電力供給システム。
【請求項２】
電力供給回路から切り離された２次電池パックは、携帯機器が駆動中の状態でも、取り外し、または交換が可能な請求項１記載の携帯機器用電力供給システム。
【請求項３】
携帯機器の駆動中は、当該機器に電力供給している２次電池パックの収納ケース安全機構は電気機構的にロックがかけられ、電力供給回路から切り離されている２次電池パックのみが取り外し可能な請求項１または２記載の携帯機器用電力供給システム。
【発明の詳細な説明】
【０００１】
【発明が属する技術分野】
本発明は、携帯型のビデオカメラ等に２次電池パックから電力を供給する携帯機器用電力供給システムである。
【０００２】
【従来の技術】
携帯機器の電力供給は、２次電池パックの容量を大きくするか、当該機器を省電力化する事で、駆動時間を延ばす方法で対応している。ところが、いずれの方法でも、必ず電力容量の低下により駆動が不可能になってしまい、期待した結果が得られないことがあった。そのような事態を避けるために、早めに２次電池パックを交換し、それらの有している能力を最大限発揮させることができなかった。また、２次電池パックを交換する際には、当該機器の駆動を止めざるを得なかった。
【０００３】
【発明が解決しようとする課題】
駆動中の携帯機器の２次電池パックが電池切れをおこしても、当該機器の駆動に影響を与えず２次電池パック交換ができ、さらに、駆動中に電池切れをおこした２次電池パックが安全に交換できる携帯機器用電力供給システムを提供することである。
【０００４】
【課題を解決するための手段】
本発明は、携帯機器の電力供給部に、２系統以上の２次電池パックを有し、いずれかの２次電池パックから携帯機器に電力供給し、駆動中に当該機器駆動電圧が、あらかじめ設定された駆動限界電圧まで低下した瞬間に、２系統の２次電池パックのＯＮ時間を、半導体スィッチング素子等により微小時間オーバーラップさせながら切替える機能と、半導体スィッチング素子等により当該機器の、電力系統から切り離された２次電池パックを携帯機器の駆動中に随時に交換可能な機能と、電池パック収納ケース安全機構のロック、アンロックを、２次電池パックの切替えタイミングに連動する機能とを有することを特徴とする。
【０００５】
【発明の実施の形態】
携帯機器の駆動中に、２系統以上の電池パックから駆動電力を供給するための、２系統以上の主電源開閉回路と、電源投入時や駆動中に於ける電池パック交換後の電池パックの残容量を正確に測定する為に負荷抵抗に電流を流す為の、２系統以上の負荷開閉回路と、電池パック切替え処理と連動して電池パック収納ケース安全機構のロック、アンロックを、電源切替制御部で制御することで実現した。
【０００６】
【実施例】
図１は、本発明装置の２系統の電池パックを有する電源切替回路のブロック図であり、携帯機器１の駆動電力は電池パックＡ４または電池パックＢ１０のいずれかから供給する。図２と図３は初期状態に於いて、電池パックＡ４の容量が電池パックＢ１０よりも少ないか等しい場合のタイミングチャートである。図４は各開閉回路の実際例である。
【０００７】
携帯機器１の駆動は、電池パックＡ４の＋側２５及び電池パックＢの＋側２６からダイオード６、またはダイオード１２を経由して主電源開閉器２４のＯＮにより電源切替制御部２３が動作を開始する。電源切替制御部２３は１チップＣＰＵ等で構成されるか、あるいは携帯機器１の電源回路の一部として構成されてもよく、電源切替回路電流３４は携帯機器１の駆動電流に比して、微弱であり、携帯機器１の電力系に与える影響は極めて少ない。
【０００８】
電源切替制御部２３が動作を開始すると、電池パックＡ収納ケース安全機構５と電池パックＢ収納ケース安全機構１１は図２の（ｊ），（ｋ）に示すように電池扉制御部１７からの信号３２、３３によりロックされる
【０００９】
図２の（ｅ）に示すｔ１の時間内で、負荷開閉回路Ａ８の制御信号３０と負荷開閉回路Ｂ１４の制御信号３１を図２の（ｇ）のｔ２、（ｈ）のｔ３のように微小時間、交互にＯＮし電池パックＡ４と電池パックＢ１０から負荷抵抗１５に電流を流し、電池パックの内部抵抗による誤差の影響を避け、電圧検出部１９で電池パックＡ４の端子電圧２５と電池パックＢ１０の端子電圧２６を検出し、図２の（ｂ）、（ｃ）に示される電源切替電圧以上である事を確認する。この時、電池パックＡ４の端子電圧２５、または電池パックＢ１０の端子電圧２６が図２の（ｂ）、（ｃ）に示される電源切替電圧に達していない時は、当該電池パックケースの安全機構のロックは解除され、駆動電力の対象から排除される。
【００１０】
携帯機器１の駆動中には電源切替制御部２３は、常時、電池パックＡ４の端子電圧２５と電池パックＢ１０の端子電圧２６と主回路駆動電圧２７を電圧検出部１９で検出し、比較データ２１に有する電池パックの電源切替電圧と駆動電圧の駆動限界電圧を電圧比較部２０で比較し、電池パックの切替タイミングの制御を行い、かつ、電池パックが交換されたかどうかも調べる。
【００１１】
初期状態に於いて、電池パックＡ４の容量が電池パックＢ１０よりも少ない、または等しい時は、電池パックＡ４を開閉制御部１６から主電源開閉信号２８を制御し、主電源開閉回路７をＯＮ状態とし携帯機器１に電池パックＡ４より電力を供給する。
【００１２】
主回路駆動電圧２７を検出中に図３の（ｄ）に示すように駆動限界電圧に達したら、図３の（ｆ）に示すように主電源開閉回路Ｂ１３をＯＮ状態にし、次に図３の（ｅ）に示すように主電源開閉回路Ａ７をＯＦＦにする。その間、微小な時間、両主電源開閉回路のＯＮ時間があり、携帯機器１の駆動電力は継続される。この時、電池パックケース３の安全機構のロック５は解除され、駆動電力の対象から排除される。
【００１３】
駆動中の電池パックＡ４の交換は、図３の（ｂ）の電池パック交換のように、電池パックＡ４の端子電圧２５が一旦０Ｖになり、さらに電池パックの端子電圧２５が０Ｖ以外になったことで知る。電池パックＡ４の端子電圧２５が安定したら、図３の（ｇ）のように負荷開閉回路Ａ８を微小時間ＯＮにして負荷抵抗１５に電流を流し、電池パックＡ４の端子電圧２５を電圧検出部１９で知る。
【００１４】
初期状態に於いて、電池パックＢ１０の容量が電池パックＡ４よりも少ない時は、電池パックＢ１０を開閉制御部１６から主電源開閉信号２９を制御し、主電源開閉回路Ｂ１３をＯＮ状態とし携帯機器１に電池パックＢ１０より電力を供給する。
【００１５】
主回路駆動電圧２７を検出中に駆動限界電圧に達したら、主電源開閉回路Ａ７をＯＮ状態にし、次に主電源開閉回路Ｂ１３をＯＦＦにする。その間、微小な時間、両主電源開閉回路のＯＮ時間があり、携帯機器１の駆動電力は継続される。この時、電池パックケース９の安全機構のロック１１は解除され、駆動電力の対象から排除される。
【００１６】
駆動中の電池パックＢ１０の交換は、電池パックＢ１０の端子電圧２６が一旦０Ｖになり、さらに電池パックＢ１０の端子電圧２６が０Ｖ以外になったことで知る。電池パックＢ１０の端子電圧２６が安定したら微小時間、負荷開閉回路Ｂ１４をＯＮにして負荷抵抗１５に電流を流し、電池パックＢ１０の端子電圧２６を電圧検出部１９で知る。
【００１７】
電力容量の少ない電池パックを先に駆動電力とするのは、当該電池パックが駆動中に図３の（ｄ）に示す駆動限界電圧に達し、電池パック切替処理を行った後、電池パックを交換する時間を十分に確保するためである。
【００１８】
電池パックＡ４または電池パックＢ１０の残容量はデータ格納部１８から取り出し、携帯機器１の表示部２に表示することができ、かつ、交換が必要な電池パックについても警報を表示する事ができる。またＬＥＤ等で使用者に警報を与えることもできる。
【００１９】
主電源開閉回路は図４の（ａ）のようにＰチャンネルのＭＯＳＦＥＴ２個で構成されるが、他の半導体スイッチング素子でもよい。半導体スイッチング素子による電圧低下が懸念される場合は図４の（ｂ）のようにリレーを使用してもよい。負荷開閉回路は図４の（ｃ）のようにＰチャンネルのＭＯＳＦＥＴで構成されるが、他の半導体スイッチング素子でもよい。主電源開閉器２４は他の半導体スイッチング素子でもよい。
【００２０】
負荷抵抗１５の抵抗値は電池パックの種類により、電池パックの内部抵抗の影響を排除して、電池パックの残量が計測できる値を決定する。
【００２１】
電池パックを切替える時の主電源開閉回路Ａ７と主電源開閉回路Ｂ１３とのＯＮ状態がオーバーラップする時間は、携帯機器１への影響と電池パックＡ４と電池パックＢ１０への影響を考慮して決定する。
【００２２】
電池パックが電池ケースから交換されたかどうかの検出は、例えば、電池ケースの蓋に連動したスイッチ等で行ってもよい。
【００２３】
【発明の効果】
携帯機器を電池切れの心配なく使用することができ、駆動中にも機器に影響を与えず，安全に電池パックを交換でき、かつ、電池パックの有している最大能力を生かしきることができ、無駄が発生しない。
【図面の簡単な説明】
【図１】携帯機器用電源切替回路のブロック図である。
【図２】携帯機器用電源切替回路の電源投入時の動作タイミングチャートである。
（ａ）は主電源の状態を示す図である。
（ｂ）は電池パックＡの端子電圧（Ｖ１）を示す図である。
（ｃ）は電池パックＢの端子電圧（Ｖ２）を示す図である。
（ｄ）は携帯機器への供給電圧（ＶＬ）を示す図である。
（ｅ）は主電源開閉回路Ａの状態を示す図である。
（ｆ）は主電源開閉回路Ｂの状態を示す図である。
（ｇ）は負荷開閉回路Ａの状態を示す図である。
（ｈ）は負荷開閉回路Ｂの状態を示す図である。
（ｉ）は電池パックＡ，Ｂの電圧と駆動電圧の検出の状態を示す図である。
（ｊ）は電池ケースＡのロックの状態を示す図である。
（ｋ）は電池ケースＢのロックの状態を示す図である。
【図３】携帯機器用電源切替回路の電源切替時と電池パック交換時の動作タイミングチャートである。
（ａ）から（ｋ）は図２と同様である
【図４】主電源開閉回路と負荷開閉回路の実際の回路例である。
（ａ）は主電源開閉回路をＰチャンネルのＭＯＳＦＥＴでの構成する一例である。
（ｂ）は主電源開閉回路をリレーで構成する一例である。
（ｃ）は負荷開閉回路をＰチャンネルのＭＯＳＦＥＴで構成する一例である。
【符号の説明】
１      携帯機器
２      携帯機器表示装置
３      電池パック収納ケースＡ
４      電池パックＡ
５      電池パックＡ収納ケース安全機構
６      ダイオード
７      主電源開閉回路Ａ
８      電池テスト用負荷開閉回路Ａ
９      電池パック収納ケースＢ
１０    電池パックＢ
１１    電池パックＢ収納ケース安全機構
１２    ダイオード
１３    主電源開閉回路Ｂ
１４    電池テスト用負荷開閉回路Ｂ
１５    電池テスト用負荷抵抗
１６    開閉制御部
１７    電池ケース安全機構開閉制御部
１８    電源切替回路データ格納部
１９    電圧検出部
２０    電圧比較部
２１    比較データ
２２    制御用電源部
２３    電源切替制御部
２４    主電源開閉器
２５    電池パックＡ＋端子電圧
２６    電池パックＢ＋端子電圧
２７    主回路駆動電圧
２８    主電源開閉回路Ａ用制御信号
２９    主電源開閉回路Ｂ用制御信号
３０    電池テスト用負荷開閉回路Ａ用制御信号
３１    電池テスト用負荷開閉回路Ｂ用制御信号
３２    電池パックＡ収納ケース安全機構用制御信号
３３    電池パックＢ収納ケース安全機構用制御信号
３４    電源切替回路電流
３５    携帯機器表示・警報用電源切替回路データ
３６    ＰチャンネルＭＯＳＦＥＴ
３７    ＰチャンネルＭＯＳＦＥＴ
３８    抵抗
３９    抵抗
４０    ＮＰＮトランジスタ
４１    リレー
４２    抵抗
４３    ＮＰＮトランジスタ
４４    ＰチャンネルＭＯＳＦＥＴ
４５    抵抗
４６    抵抗
４７    ＮＰＮトランジスタ
【図１】
2004248369.tif 000003
【図２】
2004248369.tif 000004
【図３】
2004248369.tif 000005
【図４】
2004248369.tif 000006
【手続補正書】
【提出日】平成15年7月30日(2003.7.30)
【手続補正１】
【補正対象書類名】明細書
【補正対象項目名】特許請求の範囲
【補正方法】変更
【補正の内容】
【特許請求の範囲】
【請求項１】
複数個の電池パックを有し、携帯機器の駆動時は、いずれか一つの電池パックから電力供給し、電力容量低下により当該機器の駆動が不可能となる瞬間に、自動的に別の電池パックを微小時間オーバーラップさせながら、機器の動作を止めることなく、別の電池パックに切替え、当該電池パックは、電力供給回路から切り離される携帯機器用電力供給システム。
【請求項２】
電力供給回路から切り離された電池パックは、携帯機器が駆動中の状態でも、取り外し、または交換が可能な請求項１記載の携帯機器用電力供給システム。
【請求項３】
携帯機器の駆動中は、当該機器に電力供給している電池パックの収納ケース安全機構は電気機構的にロックがかけられ、電力供給回路から切り離されている電池パックのみが取り外し可能な請求項１または２記載の携帯機器用電力供給システム。
【手続補正２】
【補正対象書類名】明細書
【補正対象項目名】発明の詳細な説明
【補正方法】変更
【補正の内容】
【発明の詳細な説明】
【０００１】
【発明が属する技術分野】
本発明は、携帯型のビデオカメラ等に電池パックから電力を供給する携帯機器用電力供給システムである。
【０００２】
【従来の技術】
携帯機器の電力供給は、電池パックの容量を大きくするか、当該機器を省電力化する事で、駆動時間を延ばす方法で対応している。ところが、いずれの方法でも、必ず電力容量の低下により駆動が不可能になってしまい、期待した結果が得られないことがあった。そのような事態を避けるために、早めに電池パックを交換し、それらの有している能力を最大限発揮させることができなかった。また、電池パックを交換する際には、当該機器の駆動を止めざるを得なかった。
【０００３】
【発明が解決しようとする課題】
駆動中の携帯機器の電池パックが電池切れをおこしても、当該機器の駆動に影響を与えず電池パック交換ができ、さらに、駆動中に電池切れをおこした電池パックが安全に交換できる携帯機器用電力供給システムを提供することである。
【０００４】
【課題を解決するための手段】
本発明は、携帯機器の電力供給部に、２系統以上の電池パックを有し、いずれかの電池パックから携帯機器に電力供給し、駆動中に当該機器駆動電圧が、あらかじめ設定された駆動限界電圧まで低下した瞬間に、２系統の電池パックのＯＮ時間を、半導体スィッチング素子等により微小時間オーバーラップさせながら切替える機能と、半導体スィッチング素子等により当該機器の、電力系統から切り離された電池パックを携帯機器の駆動中に随時に交換可能な機能と、電池パック収納ケース安全機構のロック、アンロックを、電池パックの切替えタイミングに連動する機能とを有することを特徴とする。
【０００５】
【発明の実施の形態】
携帯機器の駆動中に、２系統以上の電池パックから駆動電力を供給するための、２系統以上の主電源開閉回路と、電源投入時や駆動中に於ける電池パック交換後の電池パックの残容量を正確に測定する為に負荷抵抗に電流を流す為の、２系統以上の負荷開閉回路と、電池パック切替え処理と連動して電池パック収納ケース安全機構のロック、アンロックを、電源切替制御部で制御することで実現した。
【０００６】
【実施例】
図１は、本発明装置の２系統の電池パックを有する電源切替回路のブロック図であり、携帯機器１の駆動電力は電池パックＡ４または電池パックＢ１０のいずれかから供給する。図２と図３は初期状態に於いて、電池パックＡ４の容量が電池パックＢ１０よりも少ないか等しい場合のタイミングチャートである。図４は各開閉回路の実際例である。
【０００７】
携帯機器１の駆動は、電池パックＡ４の＋側２５及び電池パックＢの＋側２６からダイオード６、またはダイオード１２を経由して主電源開閉器２４のＯＮにより電源切替制御部２３が動作を開始する。電源切替制御部２３は１チップＣＰＵ等で構成されるか、あるいは携帯機器１の電源回路の一部として構成されてもよく、電源切替回路電流３４は携帯機器１の駆動電流に比して、微弱であり、携帯機器１の電力系に与える影響は極めて少ない。
【０００８】
電源切替制御部２３が動作を開始すると、電池パックＡ収納ケース安全機構５と電池パックＢ収納ケース安全機構１１は図２の（ｊ），（ｋ）に示すように電池扉制御部１７からの信号３２、３３によりロックされる。
【０００９】
図２の（ｅ）に示すｔ１の時間内で、負荷開閉回路Ａ８の制御信号３０と負荷開閉回路Ｂ１４の制御信号３１を図２の（ｇ）のｔ２、（ｈ）のｔ３のように微小時間、交互にＯＮし電池パックＡ４と電池パックＢ１０から負荷抵抗１５に電流を流し、電池パックの内部抵抗による誤差の影響を避け、電圧検出部１９で電池パックＡ４の端子電圧２５と電池パックＢ１０の端子電圧２６を検出し、図２の（ｂ）、（ｃ）に示される電源切替電圧以上である事を確認する。この時、電池パックＡ４の端子電圧２５、または電池パックＢ１０の端子電圧２６が図２の（ｂ）、（ｃ）に示される電源切替電圧に達していない時は、当該電池パックケースの安全機構のロックは解除され、駆動電力の対象から排除される。
【００１０】
携帯機器1の駆動中には電源切替制御部２３は、常時、電池パックＡ４の端子電圧２５と電池パックＢ１０の端子電圧２６と主回路駆動電圧２７を電圧検出部１９で検出し、比較データ２１に有する電池パックの電源切替電圧と駆動電圧の駆動限界電圧を電圧比較部２０で比較し、電池パックの切替タイミングの制御を行い、かつ、電池パックが交換されたかどうかも調べる。
【００１１】
初期状態に於いて、電池パックＡ４の容量が電池パックＢ１０よりも少ない、または等しい時は、電池パックＡ４を開閉制御部１６から主電源開閉信号２８を制御し、主電源開閉回路７をＯＮ状態とし携帯機器１に電池パックＡ４より電力を供給する。
【００１２】
主回路駆動電圧２７を検出中に図３の（ｄ）に示すように駆動限界電圧に達したら、図３の（ｆ）に示すように主電源開閉回路Ｂ１３をＯＮ状態にし、次に図３の（ｅ）に示すように主電源開閉回路Ａ７をＯＦＦにする。その間、微小な時間、両主電源開閉回路のＯＮ時間があり、携帯機器１の駆動電力は継続される。この時、電池パックケース３の安全機構のロック５は解除され、駆動電力の対象から排除される。
【００１３】
駆動中の電池パックＡ４の交換は、図３の（ｂ）の電池パック交換のように、電池パックＡ４の端子電圧２５が一旦０Ｖになり、さらに電池パックの端子電圧２５が０Ｖ以外になったことで知る。電池パックＡ４の端子電圧２５が安定したら、図３の（ｇ）のように負荷開閉回路Ａ８を微小時間ＯＮにして負荷抵抗１５に電流を流し、電池パックＡ４の端子電圧２５を電圧検出部１９で知る。
【００１４】
初期状態に於いて、電池パックＢ１０の容量が電池パックＡ４よりも少ない時は、電池パックＢ１０を開閉制御部１６から主電源開閉信号２９を制御し、主電源開閉回路Ｂ１３をＯＮ状態とし携帯機器１に電池パックＢ１０より電力を供給する。
【００１５】
主回路駆動電圧２７を検出中に駆動限界電圧に達したら、主電源開閉回路Ａ７をＯＮ状態にし、次に主電源開閉回路Ｂ１３をＯＦＦにする。その間、微小な時間、両主電源開閉回路のＯＮ時間があり、携帯機器１の駆動電力は継続される。この時、電池パックケース９の安全機構のロック１１は解除され、駆動電力の対象から排除される。
【００１６】
駆動中の電池パックＢ１０の交換は、電池パックＢ１０の端子電圧２６が一旦０Ｖになり、さらに電池パックＢ１０の端子電圧２６が０Ｖ以外になったことで知る。電池パックＢ１０の端子電圧２６が安定したら微小時間、負荷開閉回路Ｂ１４をＯＮにして負荷抵抗１５に電流を流し、電池パックＢ１０の端子電圧２６を電圧検出部１９で知る。
【００１７】
電力容量の少ない電池パックを先に駆動電力とするのは、当該電池パックが駆動中に図３の（ｄ）に示す駆動限界電圧に達し、電池パック切替処理を行った後、電池パックを交換する時間を十分に確保するためである。
【００１８】
電池パックＡ４または電池パックＢ１０の残容量はデータ格納部１８から取り出し、携帯機器１の表示部２に表示することができ、かつ、交換が必要な電池パックについても警報を表示する事ができる。またＬＥＤ等で使用者に警報を与えることもできる。
【００１９】
主電源開閉回路は図４の（ａ）のようにＰチャンネルのＭＯＳＦＥＴ２個で構成されるが、他の半導体スイッチング素子でもよい。半導体スイッチング素子による電圧低下が懸念される場合は図４の（ｂ）のようにリレーを使用してもよい。負荷開閉回路は図４の（ｃ）のようにＰチャンネルのＭＯＳＦＥＴで構成されるが、他の半導体スイッチング素子でもよい。主電源開閉器２４は他の半導体スイッチング素子でもよい。
【００２０】
負荷抵抗１５の抵抗値は電池パックの種類により、電池パックの内部抵抗の影響を排除して、電池パックの残量が計測できる値を決定する。
【００２１】
電池パックを切替える時の主電源開閉回路Ａ７と主電源開閉回路Ｂ１３とのＯＮ状態がオーバーラップする時間は、携帯機器１への影響と電池パックＡ４と電池パックＢ１０への影響を考慮して決定する。
【００２２】
電池パックが電池ケースから交換されたかどうかの検出は、例えば、電池ケースの蓋に連動したスイッチ等で行ってもよい。
【００２３】
【発明の効果】
携帯機器を電池切れの心配なく使用することができ、駆動中にも機器に影響を与えず，安全に電池パックを交換でき、かつ、電池パックの有している最大能力を生かしきることができ、無駄が発生しない。
【図面の簡単な説明】
【図１】携帯機器用電源切替回路のブロック図である。
【図２】携帯機器用電源切替回路の電源投入時の動作タイミングチャートである。
（ａ）は主電源の状態を示す図である。
（ｂ）は電池パックＡの端子電圧（Ｖ１）を示す図である。
（ｃ）は電池パックＢの端子電圧（Ｖ２）を示す図である。
（ｄ）は携帯機器への供給電圧（ＶＬ）を示す図である。
（ｅ）は主電源開閉回路Ａの状態を示す図である。
（ｆ）は主電源開閉回路Ｂの状態を示す図である。
（ｇ）は負荷開閉回路Ａの状態を示す図である。
（ｈ）は負荷開閉回路Ｂの状態を示す図である。
（ｉ）は電池パックＡ，Ｂの電圧と駆動電圧の検出の状態を示す図である。
（ｊ）は電池ケースＡのロックの状態を示す図である。
（ｋ）は電池ケースＢのロックの状態を示す図である。
【図３】携帯機器用電源切替回路の電源切替時と電池パック交換時の動作タイミングチャートである。
（ａ）から（ｋ）は図２と同様である。
【図４】主電源開閉回路と負荷開閉回路の実際の回路例である。
（ａ）は主電源開閉回路をＰチャンネルのＭＯＳＦＥＴでの構成する一例である。
（ｂ）は主電源開閉回路をリレーで構成する一例である。
（ｃ）は負荷開閉回路をＰチャンネルのＭＯＳＦＥＴで構成する一例である。
【符号の説明】
１      携帯機器
２      携帯機器表示装置
３      電池パック収納ケースＡ
４      電池パックＡ
５      電池パックＡ収納ケース安全機構
６      ダイオード
７      主電源開閉回路Ａ
８      電池テスト用負荷開閉回路Ａ
９      電池パック収納ケースＢ
１０    電池パックＢ
１１    電池パックＢ収納ケース安全機構
１２    ダイオード
１３    主電源開閉回路Ｂ
１４    電池テスト用負荷開閉回路Ｂ
１５    電池テスト用負荷抵抗
１６    開閉制御部
１７    電池ケース安全機構開閉制御部
１８    電源切替回路データ格納部
１９    電圧検出部
２０    電圧比較部
２１    比較データ
２２    制御用電源部
２３    電源切替制御部
２４    主電源開閉器
２５    電池パックＡ＋端子電圧
２６    電池パックＢ＋端子電圧
２７    主回路駆動電圧
２８    主電源開閉回路Ａ用制御信号
２９    主電源開閉回路Ｂ用制御信号
３０    電池テスト用負荷開閉回路Ａ用制御信号
３１    電池テスト用負荷開閉回路Ｂ用制御信号
３２    電池パックＡ収納ケース安全機構用制御信号
３３    電池パックＢ収納ケース安全機構用制御信号
３４    電源切替回路電流
３５    携帯機器表示・警報用電源切替回路データ
３６    ＰチャンネルＭＯＳＦＥＴ
３７    ＰチャンネルＭＯＳＦＥＴ
３８    抵抗
３９    抵抗
４０    ＮＰＮトランジスタ
４１    リレー
４２    抵抗
４３    ＮＰＮトランジスタ
４４    ＰチャンネルＭＯＳＦＥＴ
４５    抵抗
４６    抵抗
４７    ＮＰＮトランジスタ